(57)【要約】【課題】テレビ番組で紹介される記事を電子ペーパーに出力することにより、テレビ番組で紹介される記事の全文を容易に読むことができる記事提供方法を提供する。【解決手段】コンピュータが、テレビ番組で紹介される記事の出力要求を受付ける記事要求受付ステップと、前記出力要求のあった記事が紹介されるテレビ番組に予め関連付けられた記事を検索する記事検索ステップと、前記検索で見つかった記事のデータを電子ペーパーに出力する記事出力ステップと、を少なくとも実行する。【選択図】図７
2010062701.tif 000002
【特許請求の範囲】
【請求項１】
コンピュータが、
テレビ番組で紹介される記事の出力要求を受付ける記事要求受付ステップと、
前記出力要求のあった記事が紹介されるテレビ番組に予め関連付けられた記事を検索する記事検索ステップと、
前記検索で見つかった記事のデータを電子ペーパーに出力する記事出力ステップと、
を少なくとも実行することを特徴とする記事提供方法。
【請求項２】
前記記事のデータを電子ペーパーに出力する際に、該記事の大きさを該電子ペーパーの表示範囲に合せて変更することを特徴とする請求項１に記載の記事提供方法。
【請求項３】
テレビ番組で紹介される記事の出力要求を受付ける記事要求受付手段と、
前記出力要求のあった記事が紹介されるテレビ番組に予め関連付けられた記事を検索する記事検索手段と、
前記検索で見つかった記事のデータを電子ペーパーに出力する記事出力手段と、
を備えることを特徴とする記事提供システム。
【請求項４】
テレビ番組で紹介される記事の出力要求を受付ける記事要求受付手段と、
前記出力要求のあった記事の検索要求を、記事を提供する記事サーバに送信する記事要求送信手段と、
前記検索要求のあった記事のデータを前記記事サーバから受信する記事受信手段と、
前記受信した記事のデータを電子ペーパーに出力する記事出力手段と、
を備えることを特徴とする記事出力装置。
【請求項５】
請求項１に記載の方法をコンピュータに実行させることを特徴とするプログラム。
【請求項６】
前記テレビ番組を受信するテレビ受像機と前記電子ペーパーに出力する装置が有線または無線にて直接接続されることを特徴とする、請求項４に記載の記事出力装置。
【発明の詳細な説明】
【技術分野】
【０００１】
本発明は、テレビ番組で紹介される記事を提供する記事提供方法、記事提供システム、記事出力装置及びプログラムに関する。
【背景技術】
【０００２】
近年、様々なテレビ番組において新聞、雑誌又はウェブページに記載された記事が紹介されている。例えば、いわゆるワイドショーでは、新聞の記事を紹介して、話題となっているニュースについて解説を行っている。
【非特許文献１】［ｏｎｌｉｎｅ］、ＹＡＨＯＯ！ＪＡＰＡＮ  知恵袋、［２００８年７月２４日検索］、インターネット＜ＵＲＬ：ｈｔｔｐ：／／ｄｅｔａｉｌ．ｃｈｉｅｂｕｋｕｒｏ．ｙａｈｏｏ．ｃｏ．ｊｐ／ｑａ／ｑｕｅｓｔｉｏｎ＿ｄｅｔａｉｌ／ｑ１２１２４９１６２７？ｆｒ＝ｒｃｍｄ＿ｃｈｉｅ＿ｄｅｔａｉｌ＞
【発明の開示】
【発明が解決しようとする課題】
【０００３】
しかしながら、上記従来例のテレビ番組で紹介される記事の全文を読むことは困難であった。テレビ番組で紹介される記事は全文の一部であり、また、テレビの解像度では、紹介される記事の一言一句を視認することは困難だからである。
【０００４】
本発明は、このような事情を考慮して提案されるものであり、テレビ番組で紹介される記事を電子ペーパーに出力することにより、テレビ番組で紹介される記事の全文を容易に読むことができる記事提供方法、記事提供システム、記事出力装置及びプログラムを提供することを目的とする。
【課題を解決するための手段】
【０００５】
上記目的を達成するために、本発明者は、テレビ番組で紹介される記事を電子ペーパーに出力する仕組みを見出し、本発明を想到するに至った。
【０００６】
本発明に係る記事提供方法は、テレビ番組に予め関連付けられた記事を検索して電子ペーパーに出力することにより、テレビ番組で紹介される記事の全文を容易に読むことができるものである。
【０００７】
（１）コンピュータが、テレビ番組で紹介される記事の出力要求を受付ける記事要求受付ステップと、前記出力要求のあった記事が紹介されるテレビ番組に予め関連付けられた記事を検索する記事検索ステップと、前記検索で見つかった記事のデータを電子ペーパーに出力する記事出力ステップと、を少なくとも実行することを特徴とする記事提供方法。ここで、記事としては、例えば、新聞、雑誌又はウェブページに記載された記事が該当する。また、電子ペーパーとは、紙のような厚さで、データの表示や消去が何回も繰り返し行える表示装置のことをいう。紹介される記事は、実際にテレビ番組で紹介されたか否かを問わない。
【０００８】
（１）の発明によれば、出力要求のあった記事が紹介されるテレビ番組に予め関連付けられた記事を検索して電子ペーパーに出力するので、テレビ番組で紹介される記事の全文を容易に読むことができる。また、記事の全文を表示した電子ペーパーを手元においてじっくりと繰り返し読むことができるので、記事の内容を正確に理解することができる。一方、新聞社等の記事の提供者にとっては、記事の新たな配信機会を創出することができる。また、電子ペーパーに出力するので、紙資源を節約することができる。
【０００９】
（２）前記記事のデータを電子ペーパーに出力する際に、該記事の大きさを該電子ペーパーの表示範囲に合せて変更することを特徴とする（１）に記載の記事提供方法。
【００１０】
（２）の発明によれば、記事のデータを電子ペーパーに出力する際に、該記事の大きさを該電子ペーパーの表示範囲に合せて変更するので、記事の全文の全体を視認することができる。ここで、記事の一部を指定して、その部分を拡大して表示するようにしてもよい。これによると、視力の弱い者であっても、容易に記事を読むことができる。
【００１１】
（３）テレビ番組で紹介される記事の出力要求を受付ける記事要求受付手段と、前記出力要求のあった記事が紹介されるテレビ番組に予め関連付けられた記事を検索する記事検索手段と、前記検索で見つかった記事のデータを電子ペーパーに出力する記事出力手段と、を備えることを特徴とする記事提供システム。
【００１２】
（４）テレビ番組で紹介される記事の出力要求を受付ける記事要求受付手段と、前記出力要求のあった記事の検索要求を、記事を提供する記事サーバに送信する記事要求送信手段と、前記検索要求のあった記事のデータを前記記事サーバから受信する記事受信手段と、前記受信した記事のデータを電子ペーパーに出力する記事出力手段と、を備えることを特徴とする記事出力装置。
【００１３】
（５）（１）に記載の方法をコンピュータに実行させることを特徴とするプログラム。
【００１４】
（６）前記テレビ番組を受信するテレビ受像機と前記電子ペーパーに出力する装置が有線または無線にて直接接続されることを特徴とする、（４）に記載の記事出力装置。
【００１５】
（６）の発明によれば、テレビ受像機と直接接続された電子ペーパー出力装置によって、  興味の持ったテレビ番組の記事をその場で簡単に印刷することができる。
【発明の効果】
【００１６】
この発明によれば、出力要求のあった記事が紹介されるテレビ番組に予め関連付けられた記事を検索して電子ペーパーに出力するので、テレビ番組で紹介される記事の全文を容易に読むことができる。
【発明を実施するための最良の形態】
【００１７】
以下、本発明を実施するための最良の形態について図を参照しながら説明する。なお、これはあくまでも一例であって、本発明の技術的範囲はこれに限られるものではない。
［記事出力装置と関連要素の全体構成］
【００１８】
図１は、本実施形態に係る記事出力装置１と関連要素の全体構成を示す図である。
【００１９】
本実施形態に係る記事出力装置１及び記事サーバ２は、インターネット等の通信ネットワークＮに接続されている。通信ネットワークＮとの接続は有線であると無線であるとを問わない。
【００２０】
記事出力装置１は、テレビ番組で紹介される記事を記事サーバ２から取得して電子ペーパーに出力する。
【００２１】
記事サーバ２は、出力要求のあったテレビ番組で紹介される記事を検索して記事出力装置１に提供する。
［記事出力装置の機能構成］
【００２２】
図２は、本実施形態に係る記事出力装置１の機能構成の概要を示す図である。本実施形態に係る記事出力装置１は、記事要求受付手段１１と、記事要求送信手段１２と、記事受信手段１３と、記事出力手段１４と、を備える。
【００２３】
記事要求受付手段１１は、リモコン、携帯電話、電子ペーパー等の外部装置からテレビ番組で紹介される記事の出力要求を受付ける。
【００２４】
記事要求送信手段１２は、記事要求受付手段１１が受付けた記事の出力要求を、記事サーバ２に送信する。
【００２５】
記事受信手段１３は、出力要求のあった記事のデータを記事サーバ２から受信して、記事出力手段１４に渡す。
【００２６】
記事出力手段１４は、出力要求のあった記事のデータを記事受信手段１３から受け取って、電子ペーパーに出力する。
［記事サーバの機能構成］
【００２７】
図３は、本実施形態に係る記事サーバ２の機能構成の概要を示す図である。本実施形態に係る記事サーバ２は、記事検索手段２１と、記事送信手段２２と、を備える。
【００２８】
記事検索手段２１は、記事出力装置１から記事の出力要求を受信して、出力要求のあった記事を検索する。ここで、番組内容データベース２３及び記事データベース２４は、記事検索手段２１の一部を構成している。これらのデータベースの詳細については後述する。
【００２９】
記事送信手段２２は、記事検索手段２１の検索により見つかった記事のデータを、記事出力装置１に送信する。
［番組内容データベースの構成］
【００３０】
図４は、番組内容データベース２３の構成の概要を示す図である。
【００３１】
番組内容データベース２３は、予め番組ＩＤと、この番組ＩＤに対応するテレビ番組で紹介される記事の記事ＩＤとを対応付けて記憶している。ここで、番組ＩＤとしては、例えば、Ｇコード（登録商標）を利用してもよい。その他、番組内容データベース２３は、予め番組ＩＤと、この番組ＩＤに対応するテレビ番組のタイトル、記事の発行元、放送日時等とをそれぞれ対応付けて記憶している。
［記事データベースの構成］
【００３２】
図５は、記事データベース２４の構成の概要を示す図である。
【００３３】
記事データベース２４は、予め記事ＩＤと、この記事ＩＤに対応する記事のデータとしての記事ファイルとを対応付けて記憶している。ここで、記事ファイルとしては、例えば、ｈｔｍｌファイル、ｇｉｆファイル等が該当する。その他、記事データベース２４は、予め記事ＩＤと、この記事ＩＤに対応する記事の出所とを対応付けて記憶している。
［記事出力装置のハードウェア構成図］
【００３４】
図６は、本実施形態に係る記事出力装置１のハードウェア構成を示す図である。
【００３５】
記事出力装置１は、制御部２００を構成するＣＰＵ（Ｃｅｎｔｒａｌ  Ｐｒｏｃｅｓｓｉｎｇ  Ｕｎｉｔ）２１０（マルチプロセッサ構成ではＣＰＵ２２０等複数のＣＰＵが追加されてもよい）、バスライン１００、通信Ｉ／Ｆ（Ｉ／Ｆ：インターフェース）２３０、記憶装置としてのメモリ２４０、電子ペーパー接続Ｉ／Ｆ２５０を備える。
【００３６】
制御部２００は、記事出力装置１を統括的に制御する部分であり、メモリ２４０に記憶された各種プログラムを適宜読み出して実行することにより、上述したハードウェアと協働し、本発明に係る各種機能を実現している。
【００３７】
通信Ｉ／Ｆ２３０は、記事出力装置１が、通信ネットワークＮ（図１）を介して記事サーバ２（図１）と情報を送受信する場合のネットワーク・アダプタである。通信Ｉ／Ｆ２３０は、赤外線ポート、モデム、ケーブル・モデム及びイーサネット（登録商標）・アダプタを含んでよい。
【００３８】
メモリ２４０は、本ハードウェアを記事出力装置１として機能させるための各種プログラム、本発明の機能を実行するプログラム等を記憶する。
【００３９】
電子ペーパー接続Ｉ／Ｆ２５０は、電子ペーパーとの接続インターフェースであり、例えば、ＵＳＢポートなどが該当する。ここで、電子ペーパーは、コレステリック液晶等の表示部と、当該液晶に電圧を加えて表示内容を書き換える書き換え部、記事出力装置１との接続インターフェース、を備えた一般的な構成を採用している。また、当該表示部のみが分離できるようになっていてもよい。
【００４０】
なお、本発明でいうコンピュータとは、記憶装置、制御部等を備えた情報処理装置をいい、記事出力装置１は、記憶装置２４０、制御部２００等を備えた情報処理装置により構成され、この情報処理装置は、本発明のコンピュータの概念に含まれる。ここで、記事出力装置１は、従来のテレビ受像機やセットトップボックス等に組み込まれていても良い。セットトップボックスとは、ケーブルテレビ放送や衛星放送、地上波テレビ放送（デジタル放送、アナログ放送）、ＩＰ放送（ブロードバンドＶＯＤなど）などの放送信号を受信して、一般のテレビで視聴可能な信号に変換する装置をいう。
【００４１】
この記事出力装置１では、通信Ｉ／Ｆ２３０が主として記事要求受付手段１１、記事要求送信手段１２及び記事受信手段１３に対応し、電子ペーパー接続Ｉ／Ｆ２５０が主として記事出力手段１４に対応する。
［記事サーバのハードウェア構成図］
【００４２】
図７は、本実施形態に係る記事サーバ２のハードウェア構成を示す図である。
【００４３】
記事サーバ２は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インターフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００４４】
制御部３００は、記事サーバ２を統括的に制御する部分であり、ハードディスク３７０（後述）に記憶された各種プログラムを適宜読み出して実行することにより、上述したハードウェアと協働し、本発明に係る各種機能を実現している。
【００４５】
通信Ｉ／Ｆ３３０は、記事サーバ２が、通信ネットワークＮ（図１）を介して記事出力装置１（図１）と情報を送受信する場合のネットワーク・アダプタである。通信Ｉ／Ｆ３３０は、モデム、ケーブル・モデム及びイーサネット（登録商標）・アダプタを含んでよい。
【００４６】
ＢＩＯＳ３５０は、記事サーバ２の起動時にＣＰＵ３１０が実行するブートプログラムや、記事サーバ２がハードウェアに依存するプログラム等を記録する。
【００４７】
Ｉ／Ｏコントローラ３６０には、ハードディスク３７０、光ディスクドライブ３８０、及び半導体メモリ３９０等の記憶装置４１０を接続することができる。
【００４８】
ハードディスク３７０は、本ハードウェアを記事サーバ２として機能させるための各種プログラム、本発明の機能を実行するプログラム等を記憶する。なお、記事サーバ２は、外部に別途設けたハードディスク（図示せず）を外部記憶装置として利用することもできる。
【００４９】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００５０】
なお、記事サーバ２は、記憶装置４１０、制御部３００等を備えた情報処理装置により構成され、この情報処理装置は、本発明のコンピュータの概念に含まれる。
【００５１】
この記事サーバ２では、制御部３００が主として記事検索手段２１に対応し、通信Ｉ／Ｆ３３０が主として記事送信手段２２に対応する。
［本発明の実施形態に係るフローチャート］
【００５２】
図８は、本発明の実施形態に係る記事提供処理のフローチャートを示している。
【００５３】
Ｓ１：記事要求受付手段１１は、赤外線通信等により、リモコン、携帯電話、電子ペーパー等の外部装置からテレビ番組で紹介される記事の出力要求を受付けて、記事要求送信手段１２に渡す。ここで、当該出力要求には、記事が紹介されるテレビ番組の番組ＩＤが含まれる。番組ＩＤとしては、例えば、Ｇコード（登録商標）を利用してもよい。
【００５４】
Ｓ２：記事要求送信手段１２は、記事要求受付手段１１から受け取った出力要求を記事検索手段２１に送信する。
【００５５】
Ｓ３：記事検索手段２１は、記事要求送信手段１２から受信した出力要求に含まれる番組ＩＤに関連付けられた記事ＩＤを番組内容データベース２３から抽出する。ここで、地上デジタル放送のテレビ番組の場合には、記事検索手段２１は、放送局の所定の管理サーバが備える番組内容データベース２３に問い合わせるようにしてもよい。
【００５６】
Ｓ４：記事検索手段２１は、抽出した記事ＩＤに関連付けられた記事ファイルを記事データベース２４から抽出して記事送信手段２２に渡す。ここで、抽出した記事ＩＤに関連付けられた記事ファイルのデータが、当該記事ファイルのパス情報のみである場合に、記事検索手段２１がこのパス情報に対応する記事ファイルの実体を所定の記憶手段から抽出するようにしてもよい。
【００５７】
Ｓ５：記事送信手段２２は、記事検索手段２１から受け取った記事ファイルを記事受信手段１３に送信する。
【００５８】
Ｓ６：記事受信手段１３は、記事送信手段２２から受信した記事ファイルを記事出力手段１４に渡す。
【００５９】
Ｓ７：記事出力手段１４は、記事受信手段１３から受け取った記事ファイルを電子ペーパーに出力する。ここで、記事出力手段１４は、記事ファイルを電子ペーパーに出力する際に、その記事の大きさを、予め所定の記憶手段に記憶された電子ペーパーの表示範囲の大きさに合せて拡大又は縮小するようにしてもよい。この際、記事の大きさは、予め所定の記憶手段に記憶しておいたものを抽出してもよいが、画像ファイルの場合には、その解像度から記事の大きさを算出してもよい。そして、記事出力手段１４は、電子ペーパーの表示範囲の大きさを記事の大きさで割った値を拡大又は縮小の倍率とする。これによると、記事の全文の全体を視認することができる。また、記事出力手段は、記事ファイルを所定の記憶手段に記憶しておき、出力要求受付手段が外部装置等から出力開始要求を受付けた場合に、当該記憶手段に記憶された記事ファイルを電子ペーパーに出力するようにしてもよい。これによると、電子ペーパーへの出力のタイミングを指定することができる。
【００６０】
以上説明したように、出力要求のあった記事が紹介されるテレビ番組に予め関連付けられた記事を検索して電子ペーパーに出力するので、テレビ番組で紹介される記事の全文を容易に読むことができる。また、記事の全文を表示した電子ペーパーを手元においてじっくりと繰り返し読むことができるので、記事の内容を正確に理解することができる。一方、新聞社等の記事の提供者にとっては、記事の新たな配信機会を創出することができる。また、電子ペーパーに出力するので、紙資源を節約することができる。
【００６１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００６２】
【図１】本実施形態に係る記事出力装置と関連要素の全体構成を示す図である。
【図２】本実施形態に係る記事出力装置の機能構成の概要を示す図である。
【図３】本実施形態に係る記事サーバの機能構成の概要を示す図である。
【図４】番組内容データベースの構成の概要を示す図である。
【図５】記事データベースの構成の概要を示す図である。
【図６】本実施形態に係る記事出力装置のハードウェア構成を示す図である。
【図７】本実施形態に係る記事サーバのハードウェア構成を示す図である。
【図８】本発明の実施形態に係る記事提供処理のフローチャートを示している。
【符号の説明】
【００６３】
１  記事出力装置
２  記事サーバ
１１  記事要求受付手段
１２  記事要求送信手段
１３  記事受信手段
１４  記事出力手段
２１  記事検索手段
２２  記事送信手段
２３  番組内容データベース
２４  記事データベース
【図１】
2010062701.tif 000003
【図２】
2010062701.tif 000004
【図３】
2010062701.tif 000005
【図４】
2010062701.tif 000006
【図５】
2010062701.tif 000007
【図６】
2010062701.tif 000008
【図７】
2010062701.tif 000009
【図８】
2010062701.tif 000010
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
コンピュータが、
テレビ番組で紹介される記事の出力要求を受付ける記事要求受付ステップと、
前記出力要求のあった記事が紹介されるテレビ番組に予め関連付けられた記事を検索する記事検索ステップと、
前記検索で見つかった記事のデータを電子ペーパーに出力する記事出力ステップと、
を少なくとも実行することを特徴とする記事提供方法。
【請求項２】
前記記事のデータを電子ペーパーに出力する際に、該記事の大きさを該電子ペーパーの表示範囲に合せて変更することを特徴とする請求項１に記載の記事提供方法。
【請求項３】
テレビ番組で紹介される記事の出力要求を受付ける記事要求受付手段と、
前記出力要求のあった記事が紹介されるテレビ番組に予め関連付けられた記事を検索する記事検索手段と、
前記検索で見つかった記事のデータを電子ペーパーに出力する記事出力手段と、
を備えることを特徴とする記事提供システム。
【請求項４】
テレビ番組で紹介される記事の出力要求を受付ける記事要求受付手段と、
前記出力要求のあった記事の検索要求を、記事を提供する記事サーバに送信する記事要求送信手段と、
前記検索要求のあった記事のデータを前記記事サーバから受信する記事受信手段と、
前記受信した記事のデータを電子ペーパーに出力する記事出力手段と、
を備えることを特徴とする記事出力装置。
【請求項５】
前記テレビ番組を受信するテレビ受像機と、有線または無線にて直接接続されることを特徴とする、請求項４に記載の記事出力装置。
【請求項６】
請求項１に記載の方法をコンピュータに実行させることを特徴とするプログラム。
【手続補正２】
【補正対象書類名】明細書
【補正対象項目名】００１３
【補正方法】変更
【補正の内容】
【００１３】
（５）前記テレビ番組を受信するテレビ受像機と、有線または無線にて直接接続されることを特徴とする、（４）に記載の記事出力装置。
【手続補正３】
【補正対象書類名】明細書
【補正対象項目名】００１４
【補正方法】変更
【補正の内容】
【００１４】
（５）の発明によれば、テレビ受像機と直接接続された記事出力装置によって、興味の持ったテレビ番組の記事をその場で簡単に印刷することができる。
【手続補正４】
【補正対象書類名】明細書
【補正対象項目名】００１５
【補正方法】変更
【補正の内容】
【００１５】
（６）（１）に記載の方法をコンピュータに実行させることを特徴とするプログラム。
【手続補正５】
【補正対象書類名】明細書
【補正対象項目名】００１７
【補正方法】変更
【補正の内容】
【００１７】
以下、本発明を実施するための最良の形態について図を参照しながら説明する。なお、これはあくまでも一例であって、本発明の技術的範囲はこれに限られるものではない。
【手続補正６】
【補正対象書類名】明細書
【補正対象項目名】００１８
【補正方法】変更
【補正の内容】
【００１８】
［記事出力装置と関連要素の全体構成］
図１は、本実施形態に係る記事出力装置１と関連要素の全体構成を示す図である。
【手続補正７】
【補正対象書類名】明細書
【補正対象項目名】００２１
【補正方法】変更
【補正の内容】
【００２１】
記事サーバ２は、出力要求のあったテレビ番組で紹介される記事を検索して記事出力装置１に提供する。
【手続補正８】
【補正対象書類名】明細書
【補正対象項目名】００２２
【補正方法】変更
【補正の内容】
【００２２】
［記事出力装置の機能構成］
図２は、本実施形態に係る記事出力装置１の機能構成の概要を示す図である。本実施形態に係る記事出力装置１は、記事要求受付手段１１と、記事要求送信手段１２と、記事受信手段１３と、記事出力手段１４と、を備える。
【手続補正９】
【補正対象書類名】明細書
【補正対象項目名】００２６
【補正方法】変更
【補正の内容】
【００２６】
記事出力手段１４は、出力要求のあった記事のデータを記事受信手段１３から受け取って、電子ペーパーに出力する。
【手続補正１０】
【補正対象書類名】明細書
【補正対象項目名】００２７
【補正方法】変更
【補正の内容】
【００２７】
［記事サーバの機能構成］
図３は、本実施形態に係る記事サーバ２の機能構成の概要を示す図である。本実施形態に係る記事サーバ２は、記事検索手段２１と、記事送信手段２２と、を備える。
【手続補正１１】
【補正対象書類名】明細書
【補正対象項目名】００２９
【補正方法】変更
【補正の内容】
【００２９】
記事送信手段２２は、記事検索手段２１の検索により見つかった記事のデータを、記事出力装置１に送信する。
【手続補正１２】
【補正対象書類名】明細書
【補正対象項目名】００３０
【補正方法】変更
【補正の内容】
【００３０】
［番組内容データベースの構成］
図４は、番組内容データベース２３の構成の概要を示す図である。
【手続補正１３】
【補正対象書類名】明細書
【補正対象項目名】００３１
【補正方法】変更
【補正の内容】
【００３１】
番組内容データベース２３は、予め番組ＩＤと、この番組ＩＤに対応するテレビ番組で紹介される記事の記事ＩＤとを対応付けて記憶している。ここで、番組ＩＤとしては、例えば、Ｇコード（登録商標）を利用してもよい。その他、番組内容データベース２３は、予め番組ＩＤと、この番組ＩＤに対応するテレビ番組のタイトル、記事の発行元、放送日時等とをそれぞれ対応付けて記憶している。
【手続補正１４】
【補正対象書類名】明細書
【補正対象項目名】００３２
【補正方法】変更
【補正の内容】
【００３２】
［記事データベースの構成］
図５は、記事データベース２４の構成の概要を示す図である。
【手続補正１５】
【補正対象書類名】明細書
【補正対象項目名】００３３
【補正方法】変更
【補正の内容】
【００３３】
記事データベース２４は、予め記事ＩＤと、この記事ＩＤに対応する記事のデータとしての記事ファイルとを対応付けて記憶している。ここで、記事ファイルとしては、例えば、ｈｔｍｌファイル、ｇｉｆファイル等が該当する。その他、記事データベース２４は、予め記事ＩＤと、この記事ＩＤに対応する記事の出所とを対応付けて記憶している。
【手続補正１６】
【補正対象書類名】明細書
【補正対象項目名】００３４
【補正方法】変更
【補正の内容】
【００３４】
［記事出力装置のハードウェア構成図］
図６は、本実施形態に係る記事出力装置１のハードウェア構成を示す図である。
【手続補正１７】
【補正対象書類名】明細書
【補正対象項目名】００４０
【補正方法】変更
【補正の内容】
【００４０】
なお、本発明でいうコンピュータとは、記憶装置、制御部等を備えた情報処理装置をいい、記事出力装置１は、記憶装置としてのメモリ２４０、制御部２００等を備えた情報処理装置により構成され、この情報処理装置は、本発明のコンピュータの概念に含まれる。ここで、記事出力装置１は、従来のテレビ受像機やセットトップボックス等に組み込まれていても良い。セットトップボックスとは、ケーブルテレビ放送や衛星放送、地上波テレビ放送（デジタル放送、アナログ放送）、ＩＰ放送（ブロードバンドＶＯＤなど）などの放送信号を受信して、一般のテレビで視聴可能な信号に変換する装置をいう。
【手続補正１８】
【補正対象書類名】明細書
【補正対象項目名】００４１
【補正方法】変更
【補正の内容】
【００４１】
この記事出力装置１では、通信Ｉ／Ｆ２３０が主として記事要求受付手段１１、記事要求送信手段１２及び記事受信手段１３に対応し、電子ペーパー接続Ｉ／Ｆ２５０が主として記事出力手段１４に対応する。
【手続補正１９】
【補正対象書類名】明細書
【補正対象項目名】００４２
【補正方法】変更
【補正の内容】
【００４２】
［記事サーバのハードウェア構成図］
図７は、本実施形態に係る記事サーバ２のハードウェア構成を示す図である。
【手続補正２０】
【補正対象書類名】明細書
【補正対象項目名】００４３
【補正方法】変更
【補正の内容】
【００４３】
記事サーバ２は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン１１０、通信Ｉ／Ｆ（Ｉ／Ｆ：インターフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。尚、ハードディスク３７０、光ディスクドライブ３８０及び半導体メモリ３９０はまとめて記憶装置４１０と呼ばれる。
【手続補正２１】
【補正対象書類名】明細書
【補正対象項目名】００５１
【補正方法】変更
【補正の内容】
【００５１】
この記事サーバ２では、制御部３００が主として記事検索手段２１に対応し、通信Ｉ／Ｆ３３０が主として記事送信手段２２に対応する。
【手続補正２２】
【補正対象書類名】明細書
【補正対象項目名】００５２
【補正方法】変更
【補正の内容】
【００５２】
［本発明の実施形態に係るフローチャート］
図８は、本発明の実施形態に係る記事提供処理のフローチャートを示している。
【手続補正２３】
【補正対象書類名】図面
【補正対象項目名】図１
【補正方法】変更
【補正の内容】
【図１】
2010062701.tif 000011
【手続補正２４】
【補正対象書類名】図面
【補正対象項目名】図２
【補正方法】変更
【補正の内容】
【図２】
2010062701.tif 000012
【手続補正２５】
【補正対象書類名】図面
【補正対象項目名】図６
【補正方法】変更
【補正の内容】
【図６】
2010062701.tif 000013
【手続補正２６】
【補正対象書類名】図面
【補正対象項目名】図７
【補正方法】変更
【補正の内容】
【図７】
2010062701.tif 000014